(57)【要約】【課題】  通信部の送受信動作に影響を及ぼすことなく、液晶表示部を静電気の短絡から保護できる通信端末を提供し、通信端末の信頼性向上を図る。【解決手段】  筺体２５と、この筺体２５に収容された無線部および回路基板と、回路基板に接続され筺体２５の開口部４５に配置された液晶表示部２９と、液晶表示部２９を透視可能に覆う樹脂製の保護カバー５３とを備えた通信端末において、保護カバー５３の周部に導電性層を設け、かつこの導電性層が環状に連続しないように形成した。【選択図】図１
2006139100.tif 000002
【特許請求の範囲】
【請求項１】
筺体と、該筺体に収容された無線部および回路基板と、該回路基板に接続され前記筺体の開口部に配置された液晶表示部と、該液晶表示部を透視可能に覆う樹脂製の保護カバーとを備え、
前記保護カバーの周部に導電性層が設けられるとともに、該導電性層が環状に連続していないことを特徴とする通信端末。
【発明の詳細な説明】
【技術分野】
【０００１】
本発明は、筺体の開口部に配置された液晶表示部が保護カバーによって覆われる通信端末に関する。
【背景技術】
【０００２】
液晶表示部を備えた通信端末としては代表的なものに携帯電話機がある。例えば上筺体のヒンジと下筺体のヒンジとで回転可能なヒンジ部を構成する折り畳み式携帯電話機は、上筺体の二つ折り時に重ね合わされる面（裏面と称す）には液晶表示部が設けられるとともに受話部が設けられ、下筺体の裏面には操作部が設けられるとともに送話部が設けられる。
この折り畳み式携帯電話機では、通話時には上筺体と下筺体とを開いて、耳と口との距離に受話部と送話部とが離間可能となり、不使用時には二つ折りされることで略半分の大きさに小型化される。
【０００３】
液晶表示部は、上筺体の開口部から表出するように内設され、その後方には通信部および回路基板等が積層配置される。上筺体の開口部には樹脂製の保護パネルが設けられ、保護パネルは液晶表示装置の表示面を保護している。
ところが、保護パネルは樹脂製であるため帯電しやすく、内面は通信部および回路基板によって、外面は耳の接触等によって発生した静電気が帯電する。この保護カバーでの静電気の分布は均一でなく、分極された電荷が周縁に集中する傾向にある。
このような不均一な分布の電位差が大きくなると短絡が生じるが、その経路が保護パネルから液晶表示部であると、液晶表示部を破壊する可能性があった。
【０００４】
このような不具合に対し、例えば下記特許文献１に開示される静電破壊防止パネルでは、図５に示すように、表示器１を覆うプラスチック製パネル基材３の表面に、導電性インキによるパターン印刷５を、表示窓の周縁に沿って施し、金属製シャーシに導通させていた。
また、下記特許文献２に開示される液晶表示時計の構造では、図６に示すように、ダイオードの位置する中央部７を除いたカバーガラス９の周縁に導電性インクによる印刷１１を施し、カバーガラス９に生じる静電気をダイオードの位置しない周縁で短絡させて、回路の故障を防止していた。
【０００５】
【特許文献１】昭６１−２９２８９７号公報
【特許文献２】昭５４−１４５５７７号公報
【発明の開示】
【発明が解決しようとする課題】
【０００６】
しかしながら、上記した従来の静電破壊防止パネルや液晶表示時計の構造では、いずれもパネル基材やカバーガラスの周縁に、導電性の印刷を環状に形成していたため、これら導電性印刷が、電波の放射磁界によって起電力を誘起させる枠型空中線（ループアンテナ）として作用してしまい、通信部の送受信動作に影響を及ぼす虞があった。
本発明は上記状況に鑑みてなされたもので、通信部の送受信動作に影響を及ぼすことなく、液晶表示部を静電気の短絡から保護できる通信端末を提供し、通信端末の信頼性向上を図ることを目的とする。
【課題を解決するための手段】
【０００７】
上記目的を達成するための本発明に係る通信端末は、筺体と、該筺体に収容された無線部および回路基板と、該回路基板に接続され前記筺体の開口部に配置された液晶表示部と、該液晶表示部を透視可能に覆う樹脂製の保護カバーとを備え、前記保護カバーの周部に導電性層が設けられるとともに、該導電性層が環状に連続していないことを特徴とする。
【０００８】
この通信端末では、保護カバーに設けられた導電性層が環状に連続していないことで、この導電性層が電波の放射磁界によって起電力を誘起させる枠型空中線（ループアンテナ）として作用しなくなる。このような環状に連続していない具体的な形態としては、例えばＣ字状の印刷が挙げられる。この場合、Ｃ字状の間隙が狭すぎれば、起電力が誘起されて無線性能に影響を及ぼし、逆に間隙が広すぎれば、その間での短絡の危険性が増加する。
したがって、その間隙は、電位差にもよるが、通信端末が携帯電話機である場合には、後述するように所定の値の範囲で設定されることが好ましいものとなる。
【発明の効果】
【０００９】
本発明に係る通信端末によれば、筺体に収容された無線部および回路基板と、回路基板に接続され筺体の開口部に配置された液晶表示部と、この液晶表示部を透視可能に覆う樹脂製の保護カバーとを備え、保護カバーの周部に導電性層が設けられているとともに、導電性層が環状に連続していないので、導電性層が枠型空中線として作用することがなく、通信部の送受信動作に影響を及ぼす虞がない。この結果、通信部の送受信動作に影響を及ぼすことなく、液晶表示部を静電気の短絡から保護でき、通信端末の信頼性を向上させることができる。
【発明を実施するための最良の形態】
【００１０】
以下、本発明に係る通信端末の好適な実施の形態を図面を参照して説明する。
図１は本発明に係る通信端末である携帯電話機を表す斜視図である。
通信端末である携帯電話機（折り畳み式携帯電話機）１００は、筺体２１が上筐体２３と下筐体２５とからなり、これら上筐体２３および下筐体２５とが双方に設けられたヒンジ２７ａ、２７ｂで構成されるヒンジ部２７によって二つ折りに折り畳み自在となっている。
【００１１】
上筐体２３の裏面には液晶表示部２９が設けられるとともに、受話部３１が設けられる。下筐体２５の裏面には操作部３３が設けられるとともに送話部３５が設けられる。
この他、筺体２１には図示しないアンテナ、カメラ部、着脱自在な外装カバー等が設けられる。
【００１２】
図２は図１に示した携帯電話機の上筺体の断面図である。
上筐体２３は、表ケース３７と裏ケース３９とを嵌合してなり、裏ケース３９には内部側から回路基板４１、液晶表示部２９が設けられている。回路基板４１には、無線部４３（図３参照）が設けられている。
そして、液晶表示部２９は、裏ケース３９の裏面に形成された開口部４５より表出されるようになっている。
【００１３】
図３は図２に示した上筺体の分解斜視図である。
液晶表示部２９は、液晶パネル４７と、照明装置４９とからなる。照明装置４９は、図示しない透明樹脂製の導光板を備える。導光板の光入射端面には、回路基板４１に実装されたＬＥＤが配置される。導光板の上面（図３の上面）には図示しない反射シート、発光面側にはプリズム板や拡散シート等の光学シートが配置される。
反射シート、導光板、光学シートは、重ねられてケースに収容される。このケースに対して回路基板４１が取り付けられることで、回路基板４１に実装されたＬＥＤが導光板の所定の光入射端面に位置決めされる。
【００１４】
回路基板４１の電極部には液晶パネル４７の電極が図示しない配線により接続される。なお、回路基板４１がフレキシブル基板からなる場合には、図示しないコネクタを介してフレキシブル基板の電極と液晶パネル４７の電極とが直接に接続されてもよい。
【００１５】
回路基板４１に実装されたＬＥＤが点灯されると、出射光が導光板の光入射端面に入射し、入射した光は、導光板を媒質として伝播し、一部が光学シートから拡散光となって出射されるとともに、反射シートに反射された光も導光板に進入し、同じく光学シートから拡散光となって出射される。
これにより、照明装置４９から出射される光がバックライトとして液晶パネル４７の背面から透過され、液晶表示部２９の視認性が高められるようになっている。
【００１６】
裏ケース３９には、液晶パネル４７を表出させる開口部４５が形成され、この開口部４５の裏面側周縁には段部５１（図２参照）が形成される。この段部５１には樹脂製の保護カバー５３が両面テープ５３ａを介して嵌着される。保護カバー５３は、液晶パネル４７を透視可能に覆い、外部からの干渉（接触による擦れや汚れの付着等）から液晶パネル４７を保護している。この保護カバー５３の樹脂として具体的には、ポリスチレン、ポリカーボネート樹脂、アクリル樹脂、ＡＢＳ樹脂等が挙げられる。
【００１７】
保護カバー５３の周部には導電性層５５が設けられている。本明細書中において、この周部とは、保護カバー５３の表面、裏面、端面、周縁をいう。本実施の携帯では、図３に示すように、保護カバー裏面（図３の上面）の周縁に導電性層５５が設けられている。導電性層５５は、図１に示すように、上筐体２３の裏面側からは、開口部４５の周縁に隠れて目視されない。すなわち、液晶表示部２９の視認のじゃまになることはない。なお、前述した両面テープ５３ａは、導電性層５５と重ならないように内側に配置され、かつ、導電性層５５と干渉しないように極力幅寸法が小さいものが選択されている。
ただし、導電性層５５は、環状に連続していない。つまり、環状の一部がスリット５７によって分断されている。
これにより、導電性層５５は、Ｃ字状に形成されている。スリット５７は、複数設けられてもよい。また、Ｃ字状の導電性層５５は、同心円状に複数設けられてもよい。要するにスリット５７によって分断され、枠型空中線（ループアンテナ）を構成しないようになされていればよい。
【００１８】
導電性層５５は、保護カバー５３にアルミニウム、ニッケル、クロム、金、白金等の導電性材料を真空蒸着、スパッタ、或いは無電界メッキを行い、この上にフォトレジストを塗布し、所定の電極パターンのマスクを介してフォトレジストを露光してフォトレジストパターンを形成した後、これをエッチングする方法若しくは機械的に除去する方法、さらにはそれらを組み合わせた方法等、公知の方法により形成することができる。
また、導電性層５５は、導電性インキをスクリーン印刷することによって形成してもよい。導電性インキは、微粒子化により透明になされた金属或いは導電性を有する金属酸化物の粉末を合成樹脂溶剤に分散させて調製したものを用いることができる。この金属としては、金、銀、パラジウム、亜鉛、アルミニウムなどを用いることができ、金属化合物としては、酸化イリジウム、酸化亜鉛、酸化アルミニウムなどを用いることができる。
さらに、導電性層５５は、接着性を有する透明な導電性フィルムを貼着して設けるものであってもよい。
【００１９】
ここで、スリット５７は、導電性層５５が無線性能に影響を及ぼさず、かつ静電気の短絡を有効に防止できるようにするためにその幅ｗが重要となる。
すなわち、スリット５７は、狭すぎれば、無線性能に対する影響を有効に回避することができない。また、スリット５７は、広すぎれば、静電気による短絡が発生してしまう問題が生じる。そして、スリット５７の形成幅は、印刷によるばらつきも考慮されていなければ実効ある構成からはずれるものも少なからず出てくる。
【００２０】
携帯電話機用の保護カバー５３の場合、一般的に静電気によって生じる電位差を考慮すると、スリット５７の幅ｗが１ｍｍ以上であれば、無線性能には問題の生じないことが確認された。また、スリット５７は、幅ｗが５ｍｍ以下であれば、静電気の発生する虞が大幅に低下することが確認された。
したがって、本実施の形態では、印刷等による形成精度のばらつきを考慮して、スリット５７の幅ｗが、２ｍｍに設定されている。すなわち、導電性層５５は、印刷工程により最大のばらつきが生じた場合であっても、無線性能的、静電気的に問題の生じないスリット幅ｗで設定されている。
【００２１】
図４は導電性層と回路基板との接続構造を表す要部拡大断面図である。
このようにして導電性層５５の形成された保護カバー５３は、裏ケース３９の開口部４５に両面テープを介して固着され、照明装置４９および液晶パネル４７が取り付けられた状態で、板金材等からなる導通部材５９によって、回路基板４１の図示しない接地端子（ＧＮＤ）に接続される。
すなわち、導通部材５９は、導電性層５５の一辺部に沿った長板接触部５９ａと、この長板接触部５９ａの長手方向両端から突出した一対の基板接触端子部５９ｂ、５９ｂとからなる。
導通部材５９は、回路基板４１、照明装置４９、液晶パネル４７、および保護カバー５３が取り付けられた状態で、図４に示すように、液晶パネル４７および照明装置４９との接触を回避しながら、長板接触部５９ａが導電性層５５、基板接触端子部５９ｂ、５９ｂが回路基板４１の図示しない接地端子に接触される。
この際、導通部材５９の長板接触部５９ａは、保護カバー５３の導電性層５５に設けられた銅箔テープ等の金属シート５３ｂに接触する。金属シート５３ｂは、導電性層５５および長板接触部５９ａに対する導通性を有する。これにより、長板接触部５９ａおよび導電性層５５が相対的に摺動しても、導電性層５５が摩耗を防止できる。
【００２２】
これにより、保護カバー５３の導電性層５５が、導通部材５９を介して回路基板４１へ接地され、保護カバー５３に帯電した静電気が除去されるようになっている。
【００２３】
この携帯電話機１００では、保護カバー５３に設けられた導電性層５５が環状に連続していないことで、この導電性層５５が電波の放射磁界によって起電力を誘起させる枠型空中線（ループアンテナ）として作用しなくなる。
【００２４】
したがって、本実施の形態による折曲型携帯電話機１００によれば、筺体２１に収容された無線部および回路基板４１と、回路基板４１に接続され筺体２１の開口部４５に配置された液晶表示部２９と、この液晶表示部２９を透視可能に覆う樹脂製の保護カバー５３とを備え、保護カバー５３の周部に導電性層５５が設けられているとともに、導電性層５５が環状に連続していないので、導電性層５５が枠型空中線として作用することがなく、通信部の送受信動作に影響を及ぼす虞がない。
この結果、通信部の送受信動作に影響を及ぼすことなく、液晶表示部２９を静電気の短絡から保護でき、携帯電話機１００の信頼性を向上させることができる。
【００２５】
なお、上記の実施の携帯では通信端末が携帯電話機１００である場合を例に説明したが、本発明は、この他の通信端末、例えば液晶表示部を有するコードレス電話機、自動車電話機、携帯テレビ、携帯端末機（ハンディターミナル）等にも好適に用いることができ、上記と同様の作用・効果を奏するものである。
【図面の簡単な説明】
【００２６】
【図１】本発明に係る通信端末である携帯電話機を表す斜視図である。
【図２】図１に示した携帯電話機の上筺体の断面図である。
【図３】図２に示した上筺体の分解斜視図である。
【図４】導電性層と回路基板との接続構造を表す要部拡大断面図である。
【図５】導電性パターン印刷が施された従来の静電破壊防止パネルを表す正面図である。
【図６】周縁に導電性インクによる印刷を施した従来の液晶表示時計のカバーガラスを表す正面図である。
【符号の説明】
【００２７】
２１  筺体
２９  液晶表示部
４１  回路基板
４５  開口部
５３  保護カバー
５５  導電性層
１００  携帯電話機（通信端末）
【図１】
2006139100.tif 000003
【図２】
2006139100.tif 000004
【図３】
2006139100.tif 000005
【図４】
2006139100.tif 000006
【図５】
2006139100.tif 000007
【図６】
2006139100.tif 000008